(57)【要約】  【課題】ゲン・ロックを使用せずに複数の映像機器間の同期をとる。  【解決手段】ハードディスク１１または光ディスク１２の再生信号がデコーダ１３に供給され、ビデオ信号およびオーディオ信号が復号される。アンテナ６およびチューナ１５によって、予め設定したチャンネルの放送番組が選択される。チューナ１５からのＴＳがデマルチプレクサ１６に供給され、デマルチプレクサ１６によって分離されたＰＣＲがレジスタ１７にセットされる。レジスタ１７の出力が位相比較器１８に供給される。位相比較器１８、ループフィルタ１９、ＶＣＯ２０および分周器２１が２７ＭHzの基準クロックＳＴＣを生成するためのＰＬＬを構成する。ＰＬＬが生成した基準クロックがデコーダ１３に供給される。デコーダ１３は、基準クロックＳＴＣの時刻を基準として、復号処理を行う。デジタル放送の同一のＰＣＲを使用することによって複数の映像機器の同期をとることができる。【選択図】図３
2010187055.tif 000002
【特許請求の範囲】
【請求項１】
デジタル放送を受信する受信部と、
撮像部からの映像信号を符号化する符号化部と、
上記受信部により受信されたデジタル放送から時刻情報を分離し、上記時刻情報に同期したクロック信号を生成するクロック生成部とを備え、
上記クロック信号と同期して上記符号化部を動作させることによって、上記時刻情報に同期した映像信号を出力する映像出力装置。
【請求項２】
複数の映像出力装置を有する映像出力システムであって、
上記映像出力装置のそれぞれは、
デジタル放送を受信する受信部と、
映像信号を符号化する符号化部と、
上記受信部により受信されたデジタル放送から時刻情報を分離し、上記時刻情報に同期したクロック信号を生成するクロック生成部とを備え、
上記クロック信号と同期して上記符号化部を動作させることによって、上記時刻情報に同期した符号化映像信号を出力し、
上記映像出力装置が同一の上記時刻情報から上記クロック信号を生成することによって、上記複数の映像出力装置を同期動作させる映像出力システム。
【請求項３】
上記複数の映像出力装置のそれぞれの上記映像信号が互いに関連する動画像である請求項２に記載の映像出力システム。
【請求項４】
複数の映像出力装置を有する映像出力を同期させる映像同期方法であって、
複数の上記映像出力装置の受信部がデジタル放送を受信し、
上記受信部により受信されたデジタル放送から同一の時刻情報を分離し、クロック生成部が上記時刻情報に同期したクロック信号を生成し、
映像信号を符号化する符号化部が上記クロック信号と同期して動作することによって、上記時刻情報と同期した符号化映像信号を出力し、
上記複数の映像出力装置の上記符号化映像信号を同期させる映像同期方法。
【請求項５】
上記複数の映像出力装置のそれぞれの上記映像信号が互いに関連する動画像である請求項４に記載の映像同期方法。
【請求項６】
デジタル放送を受信する受信部と、
符号化映像信号を復号化する復号化部と、
上記受信部により受信されたデジタル放送から時刻情報を分離し、上記時刻情報に同期したクロック信号を生成するクロック生成部とを備え、
上記クロック信号と同期して上記復号化部を動作させることによって、上記時刻情報に同期した映像信号を出力する映像出力装置。
【請求項７】
複数の映像出力装置を有する映像出力システムであって、
上記映像出力装置のそれぞれは、
デジタル放送を受信する受信部と、
符号化映像信号を復号化する復号化部と、
上記受信部により受信されたデジタル放送から時刻情報を分離し、上記時刻情報に同期したクロック信号を生成するクロック生成部とを備え、
上記クロック信号と同期して上記復号化部を動作させることによって、上記時刻情報に同期した複数の映像信号を出力する映像出力システム。
【請求項８】
上記複数の映像出力装置のそれぞれの出力映像信号が互いに連結された複数の画面のそれぞれに表示される請求項７に記載の映像出力システム。
【請求項９】
上記複数の映像出力装置を制御する制御装置をさらに有し、上記制御装置が垂直同期信号および水平同期信号の少なくとも一方をトリガーとして制御信号を上記複数の映像出力装置に対して送信する請求項７に記載の映像出力システム。
【請求項１０】
複数の映像出力装置を有する映像出力を同期させる映像同期方法であって、
複数の上記映像出力装置の受信部がデジタル放送を受信し、
上記受信部により受信されたデジタル放送から同一の時刻情報を分離し、クロック生成部が上記時刻情報に同期したクロック信号を生成し、
符号化映像信号を復号化する復号化部が上記クロック信号と同期して動作することによって、上記時刻情報と同期した映像信号を出力し、
上記複数の映像出力装置の出力する映像信号を同期させる映像同期方法。
【請求項１１】
上記複数の映像出力装置のそれぞれの出力映像信号が互いに連結された複数の画面のそれぞれに表示される請求項１０に記載の映像同期方法。
【請求項１２】
上記制御装置が垂直同期信号および水平同期信号の少なくとも一方をトリガーとして制御信号を上記複数の映像出力装置に対して送信する請求項１０に記載の映像同期方法。
【発明の詳細な説明】
【技術分野】
【０００１】
この発明は、複数の出力映像信号を同期させることができる映像出力装置、映像出力システムおよび映像同期方法に関する。
【背景技術】
【０００２】
複数の映像信号を切り替えたり、複数の映像信号を合成するためには、複数の映像信号が同期していることが必要とされる。映像信号例えばＮＴＳＣ方式のカラー映像信号は、毎秒３０フレームの映像によって動画を表現している。各フレームの開始点が一致しないと、複数の映像をリアルタイムで切り替えたり、合成することができない。フレームの開始点は、同期信号によって規定されている。従来、GenLock(Generator Lockの略で、以下、ゲン・ロックと称する)と呼ばれる基準信号に複数の映像機器が同期するように外部同
期をとることがなされていた。
【０００３】
図８に示すように、複数の映像機器例えばビデオカメラ１０１ａ、１０１ｂ、１０１ｃの映像信号がスイッチャ１０２に供給され、ビデオカメラの出力映像信号をスイッチャ１０２によって切り替えた映像信号が出力される。このようなシステムにおいて、ゲン・ロックユニット１０３が設けられる。一つのビデオカメラ例えばビデオカメラ１０１ｂの映像同期周波数ｆＢの同期信号がゲン・ロックユニット１０３に入力される。ゲン・ロックユニット１０３がビデオカメラ１０１ａおよび１０１ｃに対する同期信号を発生し、これらのビデオカメラ１０１ａおよび１０１ｃがゲン・ロックユニット１０３からの同期信号に同期した映像信号を出力する。このように、ビデオカメラ１０１ａ、１０１ｂ、１０１ｃの出力映像信号が同期したものとされる。
【０００４】
さらに、特許文献１には、複数の映像機器（ＭＰＥＧ(Moving Picture Experts Group
)プレーヤ）によって再生される複数枚の映像を組み合わせて１枚の映像を生成する映像
情報再生システムが記載されている。特許文献１では、マスター機がトランスポートストリーム（ＴＳ(Transport Stream)と適宜称する）データを同期のとれたクロックでスレーブ機のデコーダに対して送出する。スレーブ機からの再生開始合わせの信号がマスター機に送出されて同期再生を開始するようになされている。
【先行技術文献】
【特許文献】
【０００５】
【特許文献１】特開２００５−２２３４８８号公報
【発明の概要】
【発明が解決しようとする課題】
【０００６】
従来のゲン・ロックユニットによって複数の映像機器の同期をとる構成は、複数の映像機器とゲン・ロックユニットとの間を同軸ケーブルで接続する必要があった。同軸ケーブルで分配する方法は、ケーブルの接続作業が面倒となる。さらに、放送局のスタジオと異なり、展示会、学校等の多数の人が行き来する環境では、同軸ケーブルが邪魔となる問題があった。さらに、ゲン・ロックユニット１０３が高精度で安定したクロックを発生する必要があり、ゲン・ロックユニット１０３が高価なものである。かかるゲン・ロックユニットを使用することは、コストの面で不利であった。
【０００７】
したがって、この発明の目的は、ゲン・ロックを使用しないで、高精度に複数の映像信号間の同期をとることが可能な映像出力装置、映像出力システムおよび映像同期方法を提供することにある。
【課題を解決するための手段】
【０００８】
上述した課題を解決するために、この発明は、デジタル放送を受信する受信部と、
撮像部からの映像信号を符号化する符号化部と、
受信部により受信されたデジタル放送から時刻情報を分離し、時刻情報に同期したクロック信号を生成するクロック生成部とを備え、
クロック信号と同期して符号化部を動作させることによって、時刻情報に同期した映像信号を出力する映像出力装置である。
【０００９】
この発明は、複数の映像出力装置を有する映像出力システムであって、
映像出力装置のそれぞれは、
デジタル放送を受信する受信部と、
映像信号を符号化する符号化部と、
受信部により受信されたデジタル放送から時刻情報を分離し、時刻情報に同期したクロック信号を生成するクロック生成部とを備え、
クロック信号と同期して符号化部を動作させることによって、時刻情報に同期した符号化映像信号を出力し、
映像出力装置が同一の時刻情報からクロック信号を生成することによって、複数の映像出力装置を同期動作させる映像出力システムである。
【００１０】
この発明は、複数の映像出力装置を有する映像出力を同期させる映像同期方法であって、
複数の映像出力装置の受信部がデジタル放送を受信し、
受信部により受信されたデジタル放送から同一の時刻情報を分離し、クロック生成部が時刻情報に同期したクロック信号を生成し、
映像信号を符号化する符号化部がクロック信号と同期して動作することによって、時刻情報と同期した符号化映像信号を出力し、
複数の映像出力装置の符号化映像信号を同期させる映像同期方法である。
【００１１】
この発明は、デジタル放送を受信する受信部と、
符号化映像信号を復号化する復号化部と、
受信部により受信されたデジタル放送から時刻情報を分離し、時刻情報に同期したクロック信号を生成するクロック生成部とを備え、
クロック信号と同期して復号化部を動作させることによって、時刻情報に同期した映像信号を出力する映像出力装置である。
【００１２】
この発明は、複数の映像出力装置を有する映像出力システムであって、
映像出力装置のそれぞれは、
デジタル放送を受信する受信部と、
符号化映像信号を復号化する復号化部と、
受信部により受信されたデジタル放送から時刻情報を分離し、時刻情報に同期したクロック信号を生成するクロック生成部とを備え、
クロック信号と同期して復号化部を動作させることによって、時刻情報に同期した複数の映像信号を出力する映像出力システムである。
【００１３】
この発明は、複数の映像出力装置を有する映像出力を同期させる映像同期方法であって、
複数の映像出力装置の受信部がデジタル放送を受信し、
受信部により受信されたデジタル放送から同一の時刻情報を分離し、クロック生成部が時刻情報に同期したクロック信号を生成し、
符号化映像信号を復号化する復号化部がクロック信号と同期して動作することによって、時刻情報と同期した映像信号を出力し、
複数の映像出力装置の出力する映像信号を同期させる映像同期方法である。
【発明の効果】
【００１４】
この発明では、ゲン・ロックユニットを使用しないので、同軸ケーブルによって複数の機器間を接続する煩雑さを解消できる。さらに、高価のゲン・ロックユニットを使用しないので、コストを低下させることができる。
【図面の簡単な説明】
【００１５】
【図１】この発明の第１の実施の形態における映像表示システムの一構成例を示す略線図である。
【図２】ＴＳパケットのフォーマットと時刻情報の一例の説明に用いる略線図である。
【図３】この発明の第１の実施の形態における映像信号再生装置およびコントローラの説明に使用するブロック図である。
【図４】この発明の第１の実施の形態における基準クロック生成動作を説明するためのフローチャートである。
【図５】アンテナの接続方法の他の例を示すブロック図である。
【図６】この発明の第１の実施の形態における複数の映像信号を同期させる一例の説明に用いるタイミングチャートである。
【図７】この発明の第２の実施の形態における撮像装置の説明に使用するブロック図である。
【図８】従来のゲン・ロックを説明するためのブロック図である。
【発明を実施するための形態】
【００１６】
以下、この発明を実施するための形態（以下実施の形態とする）について説明する。なお、説明は、以下の順序で行う。
１．第１の実施の形態
２．第２の実施の形態
３．変形例
なお、以下に説明する実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１７】
＜１．第１の実施の形態＞
「映像表示システム」
先ず、この発明の一実施の形態における映像表示システムについて説明する。図１に示すように、複数例えば３台の撮像装置１ａ、１ｂおよび１ｃにより被写体が撮影される。被写体の一例としては、サッカーの試合が行われている競技場である。競技場の被写体が分割被写体２ａ、２ｂ、２ｃに３分割され、分割被写体２ａ、２ｂ、２ｃが各撮像装置によって撮影される。
【００１８】
撮像装置１ａ、１ｂおよび１ｃを同期して動作させるために、デジタル放送を受信するためのアンテナ３が設置されている。アンテナ３の受信信号が撮像装置１ａ、１ｂ、１ｃに供給される。撮像装置１ａ、１ｂ、１ｃのそれぞれにデジタル放送を受信する受信部が設けられている。受信部によりデジタル放送信号に含まれている時刻情報が分離され、時刻情報に同期した基準クロックが生成される。撮像装置１ａ、１ｂ、１ｃのそれぞれがデジタル放送の同一番組を受信し、同一の時刻情報を使用して基準クロックが生成される。基準クロックから同期信号（垂直同期信号、水平同期信号）が生成される。
【００１９】
撮像装置１ａ、１ｂ、１ｃのそれぞれは、撮像信号を圧縮符号化例えばＭＰＥＧ２によって符号化し、ＴＳを出力する符号化部を有している。生成された基準クロックによって符号化部が動作される。符号化部によって形成された符号化撮像信号のストリームに対して共通の時刻情報が多重化される。
【００２０】
撮像装置１ａ、１ｂ、１ｃからの符号化された撮像信号が映像信号再生装置４ａ、４ｂ、４ｃにそれぞれ供給される。撮像装置１ａ、１ｂ、１ｃから映像信号再生装置４ａ、４ｂ、４ｃに対する映像信号の供給方法として、図１では、オンラインの信号供給が示されている。実際には、後述するように、撮像装置１ａ、１ｂ、１ｃがそれぞれ符号化映像信号および符号化音声信号を記録媒体に記録する映像信号記録装置の機能も有する。記録媒体として、ＤＶＤ(Digital Versatile Disc)、ＢＤ（ブルーレイディスク）等の光ディスク、ハードディスク、磁気ディスク等が使用される。
【００２１】
映像信号再生装置４ａ、４ｂ、４ｃは、撮像装置１ａ、１ｂ、１ｃからオンラインで供給された符号化映像信号、または記録媒体から再生された符号化映像信号および符号化音声信号を復号する例えばＭＰＥＧ２の復号化部を有している。復号化部によって得られた映像信号が表示装置例えばフラットパネルディスプレイに供給され、それぞれの再生映像が画面５ａ、５ｂ、５ｃ上に表示される。
【００２２】
画面５ａ、５ｂ、５ｃが互いに連結して横長の画面を構成しており、競技場で行われているサッカー等の試合が行われている競技場全体の動画像が画面５ａ、５ｂ、５ｃに表示される。なお、サッカー等のスポーツの試合の映像は、被写体の一例であり、他のスポーツの試合、或いはスポーツの試合以外の映像を表示しても良い。例えば車の運転時に窓を通じて見る景色の映像を表示するようにしても良い。
【００２３】
映像信号再生装置４ａ、４ｂ、４ｃを同期して動作させるために、デジタル放送を受信するためのアンテナ６が設置されている。アンテナ６の受信信号が映像信号再生装置４ａ、４ｂ、４ｃに供給される。映像信号再生装置４ａ、４ｂ、４ｃのそれぞれにデジタル放送を受信する受信部が設けられている。受信部によりデジタル放送信号に含まれている時刻情報が分離され、時刻情報に同期した基準クロックが生成される。映像信号再生装置４ａ、４ｂ、４ｃのそれぞれがデジタル放送の同一番組を受信し、同一の時刻情報を使用して基準クロックが生成される。基準クロックから同期信号（垂直同期信号、水平同期信号）が生成される。映像信号再生装置４ａ、４ｂ、４ｃのそれぞれが有する復号化部が生成された基準クロックによって動作される。
【００２４】
さらに、映像信号再生装置４ａ、４ｂ、４ｃの動作を制御するためのコントローラ７が設けられている。コントローラ７は、操作者の操作する操作部（スイッチ、ＧＵＩ等）を有し、操作に対応して制御信号を映像信号再生装置４ａ、４ｂ、４ｃに対して供給する。コントローラ７は、例えばリモートコントローラであり、赤外線または電波によって制御信号を伝送する。コマンド例えば再生動作を開始させる制御信号をコントローラ７が発生し、制御信号が映像信号再生装置４ａ、４ｂ、４ｃに供給される。
【００２５】
映像信号再生装置４ａ、４ｂ、４ｃに対する制御信号による制御を同期させるために、コントローラ７にデジタル放送を受信するためのアンテナ８が設置されている。アンテナ８の受信信号がコントローラ７に供給される。コントローラ７にデジタル放送を受信する受信部が設けられている。受信部によりデジタル放送信号に含まれている時刻情報が分離され、時刻情報に同期した基準クロックが生成される。コントローラ７が映像信号再生装置４ａ、４ｂ、４ｃが受信するデジタル放送の番組と同一番組を受信し、同一の時刻情報を使用して基準クロックが生成される。基準クロックから同期信号（垂直同期信号、水平同期信号）が生成される。映像信号再生装置４ａ、４ｂ、４ｃに対して供給される制御信号のタイミングが生成された基準クロックによって動作される。
【００２６】
「時刻情報の一例」
ＭＰＥＧ２のＴＳパケットのフォーマットとＴＳに含まれる時刻情報について図２を参照して説明する。図２Ａに示すように、ＴＳの１パケットの大きさが１８８バイトとされ、先頭に４バイトのパケットヘッダが付加される。パケットヘッダの後にアダプテーションフィールドと呼ばれる拡張ヘッダが付加されることがある。ＴＳの１パケットは、パケットヘッダとアダプテーションフィールドとペイロードとによって構成される。パケットヘッダは、同期バイト（８ビット）、トランスポートエラー表示（１ビット）５１、ペイロードユニット開始表示（１ビット）５２、トランスポート優先度（１ビット）５３、パケットＩＤ（ＰＩＤ）（８ビット）、ペイロードユニットスクランブル制御（２ビット）５４、アダプテーションフィールド制御（２ビット）５５からなる。アダプテーションフィールドは、図２Ｂに示すように、アダプテーションフィールド長（８ビット）、不連続表示（１ビット）６１、ランダム・アクセス表示（１ビット）６２、ストリーム優先表示（１ビット）６３、各１ビットの５個のフラグ、オプショナルフィールド、スタッフィングバイトからなる。５個のフラグの中に、ＰＣＲ(Program Clock Reference)およびＯＰ
ＣＲ(Original Program Clock Reference)の存在の有無を示すフラグが含まれる。オプショナルフィールドは、図２Ｃに示すように、ＰＣＲ（４２＋６ビット）、ＯＰＣＲ（４２＋６ビット）、スプライスカウント・ダウン（８ビット）、トランスポートストリームデータ、アダプテーションフィールド拡張からなる。
【００２７】
ＰＣＲは、２７ＭHzの基準クロック（ＳＴＣ(System Time Clock)と呼ばれる）でカウ
ントされた４２ビットの値である。ＴＳ中に１００ｍｓ間隔で出現することが推奨されている。図２Ｄは、ＰＣＲの具体例である。図２Ｄでは、３３ビットの「PCR Base」が１６進表記(0x)で(02B2E37AF)であり、９ビットの「PCR Extension」が１６進表記(0x)で(009B)である。１０進数に変換すると、(02B2E37AF)＝724449199、(009B)＝155である。した
がって、このＰＣＲは、下記の式によって計算された時刻情報を有する。
【００２８】
｛(724449199×300)＋155｝/27,000,000＝8049.43550秒＝2時間14分09.435550秒
【００２９】
デジタル放送では、ビデオの同期信号（垂直同期信号および水平同期信号）が伝送されないので、２７ＭHzのＳＴＣを受信機において正確に再生し、ＳＴＣを分周して同期信号を形成するようになされる。上述したＰＣＲは、放送局のＳＴＣと受信機のＳＴＣとを同期させるための情報である。ＰＣＲによってＰＬＬ（Phase Locked Loop)に同期をかけることによってＳＴＣが生成される。
【００３０】
ＰＣＲは、受信されたデジタル放送信号に含まれている。同一番組放送においては、ＰＣＲが同一である。若し、同一のＰＣＲが含まれる異なる番組放送が存在する場合には、当該異なる番組放送を受信してＰＣＲを時刻情報として使用することができる。
【００３１】
「映像信号再生装置およびコントローラ」
この発明の第１の実施の形態は、図１を参照して説明したマルチスクリーンの表示を行う映像信号再生装置４ａ、４ｂ、４ｃおよびコントローラ７に対してこの発明を適用したものである。図３においては、映像信号再生装置４ａの構成とコントローラ７の構成が示されている。他の映像信号再生装置４ｂおよび４ｃのそれぞれの構成も映像信号再生装置４ａと同様である。
【００３２】
ハードディスク１１または光ディスク１２が再生され、再生信号が復号化部としてのオーディオ／ビデオデコーダ１３に供給される。再生信号は、例えばＭＰＥＧ２のＴＳであり、オーディオ／ビデオデコーダ１３は、ＭＰＥＧ２のＴＳを復号してビデオ信号およびオーディオ信号を出力する。ビデオ信号およびオーディオ信号が表示装置に供給され、撮像装置１ａが取得した映像が画面５ａ上に表示され、音声が再生される。
【００３３】
アンテナ６によってデジタル放送が受信され、アンテナ６の出力信号がチューナ１５に対して供給される。チューナ１５において、予め設定したチャンネルの放送番組が選択される。デジタル放送としては、地上デジタル放送、ＢＳ(Broadcasting Satellite)デジタル放送、ＣＳ(Communicaton Satellite)デジタル放送の何れであっても時刻情報を含むので、何れの放送を受信しても良い。チューナ１５では、例えばＯＦＤＭ(Orthogonal Frequency Division Multiplex) 変調方式の復調処理もなされる。
【００３４】
チューナ１５からのＴＳがデマルチプレクサ１６に供給される。デマルチプレクサ１６は、多重化されているデータを分離するものである。デマルチプレクサ１６によって分離されたＰＣＲがレジスタ１７に供給され、レジスタ１７にセットされる。
【００３５】
レジスタ１７の出力が位相比較器１８に供給される。位相比較器１８の比較出力がループフィルタ１９を介してＶＣＯ（Voltage Controlled Oscillator)２０に制御信号として供給される。ＶＣＯ２０は、中心（フリーラン）周波数が２７ＭHzとされ、制御信号によって周波数が変化される可変周波数発振器である。ＶＣＯ２０の出力に基準クロックＳＴＣが取り出される。ＶＣＯ２０の一例は、水晶発振器の発振周波数を制御信号のレベルに応じて変化させるＶＣＸＯ（Voltage Controlled X'tal Oscillator)である。
【００３６】
ＶＣＯ２０の出力が分周器２１で分周されて位相比較器１８に供給される。位相比較器１８において、分離されたＰＣＲと位相比較され、位相差に応じたレベルの比較信号が出力される。位相比較器１８、ループフィルタ１９、ＶＣＯ２０および分周器２１が２７ＭHzの基準クロックＳＴＣを生成するためのＰＬＬを構成する。
【００３７】
ＰＬＬのＶＣＯ２０が生成した基準クロックがオーディオ／ビデオデコーダ１３とマイクロプロセッサ１４とに供給される。マイクロプロセッサ１４は、映像信号再生装置４ａの全体の動作を制御する。オーディオ／ビデオデコーダ１３は、基準クロックＳＴＣの時刻を基準として、ＴＳから分離されたＰＴＳ(Presentation Time Stamp; 表示時刻を示すタイムスタンプ）、ＤＴＳ(Decoding Time Stamp;復号時刻を示すタイムスタンプ）に記
載されたタイミングでもって、表示または復号を行う。図示しないが、他の映像信号再生装置４ｂおよび４ｃも上述した映像信号再生装置４ａと同様の構成を有する。
【００３８】
コントローラ７は、映像信号再生装置４ａのマイクロプロセッサ１４と双方向通信を行い、映像信号再生装置４ａを制御するマイクロプロセッサ３１を備える。アンテナ８によってデジタル放送が受信され、アンテナ８の出力信号がチューナ３２に対して供給される。チューナ３２において、予め設定したチャンネルの放送番組が選択される。映像信号再生装置４ａとコントローラ７とがデジタル放送の同一番組を受信する。
【００３９】
チューナ３２からのＴＳがデマルチプレクサ３３に供給される。デマルチプレクサ３３によってＰＣＲが分離され、ＰＣＲがレジスタ３４に供給され、レジスタ３４にセットされる。レジスタ３４の出力が位相比較器３５に供給される。位相比較器３５の比較出力がループフィルタ３６を介してＶＣＯ３７に制御信号として供給される。ＶＣＯ３７は、中心周波数が２７ＭHzとされ、制御信号によって周波数が変化される可変周波数発振器である。ＶＣＯ３７の出力に基準クロックＳＴＣが取り出される。
【００４０】
ＶＣＯ３７の出力が分周器３８で分周されて位相比較器３５に供給される。位相比較器３５において、分離されたＰＣＲと位相比較され、位相差に応じたレベルの比較信号が出力される。位相比較器３５、ループフィルタ３６、ＶＣＯ３７および分周器３８が２７ＭHzの基準クロックＳＴＣを生成するためのＰＬＬを構成する。ＰＬＬのＶＣＯ３７が生成した基準クロックがマイクロプロセッサ３１に供給される。映像信号再生装置４ａ、４ｂ、４ｃとコントローラ７とが共通の基準クロックＳＴＣで動作する。
【００４１】
図４のフローチャートに示すように、デジタル放送に含まれるＰＣＲを使用した基準クロックＳＴＣの生成動作がマイクロプロセッサによって制御される。ステップＳ１において、デジタル放送が受信されているか否かが判定される。デジタル放送を受信していないと判定されると、ステップＳ２で示すように、ＰＬＬ内部のＶＣＯがフリーランで動作し、ＶＣＯによって中心周波数２７ＭHzの基準クロックＳＴＣが生成される。
【００４２】
ステップＳ１において、デジタル放送が受信されていると判定されると、ステップＳ３において、デマルチプレクサによる分離処理がなされる。分離された情報の内でＰＣＲがステップＳ４において抽出される。ステップＳ５において、抽出されたＰＣＲがレジスタにセットされる。
【００４３】
ステップＳ６において、レジスタにセットされた時刻と、ＰＬＬにより形成された基準クロックＳＴＣが発生する時刻とが比較される。この時刻の差が位相差として検出され、位相差に対応するレベルの制御信号がＶＣＯに供給され、ＶＣＯの発振周波数が制御される（ステップＳ７）。ステップＳ６において、位相差が０と判定されると、ステップＳ８において、映像信号再生装置４ａ、４ｂ、４ｃとコントローラ７とが放送局（送出）側と同期したクロックによって動作する。
【００４４】
図１に示す映像信号再生システムにおいては、複数の映像信号再生装置４ａ、４ｂおよび４ｃが同じ場所に設置されており、アンテナ６を共通に使用できる例である。コントローラ７が映像信号再生装置４ａ、４ｂおよび４ｃと同じ場所に設置されている場合には、コントローラ７もアンテナ６を使用しても良い。さらに、映像信号再生装置４ｃが別の場所例えば別の部屋に設置されている場合には、図５に示すように、映像信号再生装置４ａ、４ｂ用のアンテナ６ａと、映像信号再生装置４ｃ用のアンテナ６ｂとが使用される。
【００４５】
図６を参照して、この発明の第１の実施の形態において、同期をとるように映像信号再生装置を制御する制御方式を概念的に説明する。各映像信号再生装置が出力する映像信号をVideo1,Video2,Video3と表記する。映像信号再生装置４ａ、４ｂ、４ｃが共通の基準クロックＳＴＣと、ＳＴＣから形成された同期信号によって動作しているので、出力映像信号Video1,Video2,Video3が同期している。
【００４６】
映像信号再生装置４ａ、４ｂ、４ｃがそれぞれ別々の映像信号を出力している状態において、コントローラ７からディスクの再生を指示する再生開始コマンドが映像信号再生装置４ａ、４ｂ、４ｃに対して供給される。コントローラ７も共通の基準クロックＳＴＣで動作しているので、再生開始コマンドが映像信号Video1,Video2,Video3と同期している。図６には、各映像信号再生装置が再生開始コマンドを受け取ってから例えば２フレーム後にディスクの再生信号を一斉に出力する例が示されている。ディスクの再生画像は、例えばマルチスクリーンの各分割画面に表示される。各映像信号再生装置がディスクを再生することによって発生した映像信号も互いに同期した関係を有し、マルチスクリーンによって良好に画像を表示できる。
【００４７】
＜２．第２の実施の形態＞
「撮像装置」
上述した第１の実施の形態は、この発明を映像信号再生装置に対して適用した例である。第２の実施の形態は、この発明を撮像装置１ａ、１ｂ、１ｃ（図１参照）に適用した例である。図７に撮像装置１ａの構成を示す。他の撮像装置１ｂ、１ｃも撮像装置１ａと同様の構成を有する。
【００４８】
カメラ部４１からのデジタル映像信号およびデジタルオーディオ信号がＭＰＥＧ２のオーディオ／ビデオエンコーダ４２に供給される。カメラ部４１には、撮像素子および撮像素子の出力信号を処理する信号処理部と、マイクロホンおよびマイクロホンの出力信号を処理する信号処理部とが設けられている。
【００４９】
オーディオ／ビデオエンコーダ４２において、映像信号およびオーディオ信号の圧縮符号化例えばＭＰＥＧ２の符号化がなされる。オーディオ／ビデオエンコーダ４２から出力される符号化データ（ＥＳ:Elementary Stream）がパケット化回路４３に供給され、パケット化される。パケット化回路４３の出力（ＰＥＳ:Packetized Elementary Stream）が
多重化回路（マルチプレクサ）４４に供給される。
【００５０】
多重化回路４４から出力されるＴＳが記録部４５に供給され、記録部４５によって記録媒体に記録される。記録媒体として、ＤＶＤ、ＢＤ等の光ディスク、ハードディスク、磁気ディスク等が使用される。多重化回路４４において、１パケットが１８８バイトのＴＳの形式が作成される。パケット中のアダプテーションフィールドに対してＰＣＲが挿入される。
【００５１】
アンテナ３によってデジタル放送が受信され、アンテナ３の出力信号がチューナ４６に対して供給される。チューナ４６において、予め設定したチャンネルの放送番組が選択される。撮像装置の出力信号をリアルタイムで映像信号再生装置によって再生する場合には、撮像装置と映像信号再生装置とがデジタル放送の同一番組を受信する。
【００５２】
チューナ４６からのＴＳがデマルチプレクサ４７に供給される。デマルチプレクサ４７によってＰＣＲが分離され、ＰＣＲがレジスタ４８に供給され、レジスタ４８にセットされる。レジスタ４８の出力がＰＬＬ４９に供給される。ＰＬＬ４９は、映像信号再生装置またはコントローラに設けられたＰＬＬと同様に、位相比較器、ループフィルタ、ＶＣＯ、分周器からなる構成を有する。
【００５３】
ＰＬＬ４９の出力にＰＣＲと同期した２７ＭHzの基準クロックＳＴＣが取り出される。基準クロックＳＴＣがオーディオ／ビデオエンコーダ４２およびマイクロプロセッサ５０に対して供給される。マイクロプロセッサ５０は、撮像装置全体の動作を制御するコントローラである。
【００５４】
オーディオ／ビデオエンコーダ４２は、基準クロックＳＴＣと同期して符号化動作を行う。すなわち、オーディオ／ビデオエンコーダ４２のビデオエンコーダがＳＴＣを基準として表示時刻を示すデータＰＴＳおよびデコードのタイミングを示すデータＤＴＳを映像ＰＥＳのヘッダに付加する。オーディオ／ビデオエンコーダ４２のオーディオエンコーダがＳＴＣを基準として再生時刻を示すＰＴＳを音声ＰＥＳのヘッダに付加する。多重化器４４がＴＳパケットのアダプテーションフィールドにＰＣＲを挿入する。
【００５５】
カメラ部４１によって取得された映像および音声が記録媒体例えば光ディスクに記録される。複数の撮像装置がデジタル放送の同一番組から分離された時刻情報ＰＣＲに同期した基準クロックＳＴＣを形成しているので、複数の光ディスクにそれぞれ記録されている映像および音声が互いに同期したものとなる。したがって、複数の映像信号再生装置によって複数の光ディスクを再生する時に、複数の光ディスクの再生映像および再生音声を同期させることができる。
【００５６】
＜３．変形例＞
上述した説明では、デジタルテレビジョン放送の放送電波を受信するようにしたが、電線、光ファイバー等を伝送路として使用するケーブルテレビジョンによってデジタル放送を受信しても良い。さらに、標準電波を受信して標準電波中の標準時刻の時間情報と同期した基準クロックを形成するようにしても良い。この発明は、図１に示すマルチスクリーンの映像表示装置に限らず、複数の映像送出装置から送出される映像信号、または複数の映像再生装置により再生される映像信号を同期させるシステムに対して適用できる。この発明は、映像送出装置または映像再生装置として、ビデオレコーダ、ビデオプレーヤ、セットトップボックス、ビデオサーバ、テレビジョンモニタ等を使用する場合に適用できる。さらに、この発明は、コントローラとして、ミクサ、スイッチャー、コンピュータ、ワークステーション、ゲーム機器、リモートコントローラ等の使用する場合に適用できる。
【符号の説明】
【００５７】
１ａ，１ｂ，１ｃ・・・撮像装置
３，６，８・・・アンテナ
１ａ，１ｂ，１ｃ・・・映像信号再生装置
７・・・コントローラ
【図１】
2010187055.tif 000003
【図２】
2010187055.tif 000004
【図３】
2010187055.tif 000005
【図４】
2010187055.tif 000006
【図５】
2010187055.tif 000007
【図６】
2010187055.tif 000008
【図７】
2010187055.tif 000009
【図８】
2010187055.tif 000010